(57)【要約】【課題】端子基台を筐体に組み込んだときに筐体および端子基台の接合面に隙間部が形成され難い電気機器を提供する。【解決手段】筐体１０と、筐体１０の背面から立設する電源端子２１の一部を収容する収容溝２２が形成され、筐体１０に形成された開口部１１に組み込まれた端子基台２０と、を備え、電源端子２１を壁面Ｙのコンセント３０の差込口３１に挿入することで壁面Ｙに配設される電気機器Ｘであって、端子基台２０は、筐体１０より軟質の材料で形成してある。【選択図】図５
2015035314.tif 000002
【特許請求の範囲】
【請求項１】
筐体と、前記筐体の背面から立設する電源端子の一部を収容する収容溝が形成され、前記筐体に形成された開口部に組み込まれた端子基台と、を備え、前記電源端子を壁面のコンセントの差込口に挿入することで前記壁面に配設される電気機器であって、
前記端子基台は、前記筐体より軟質の材料で形成してある電気機器。
【請求項２】
前記端子基台には、前記端子基台を前記筐体の開口部に組み込むときに当該端子基台が弾性変形して潰れる潰れ部を備える請求項１に記載の電気機器。
【発明の詳細な説明】
【技術分野】
【０００１】
本発明は、電源端子が一体に形成された電気機器に関する。
【背景技術】
【０００２】
従来、電気機器において、筐体の背面から立設する電源端子と、前記電源端子の一部を収容する収容溝が形成され、前記筐体に形成された開口部に組み込まれた端子基台と、を備えたものが知られていた。当該電気機器は、前記電源端子を壁面のコンセントの差込口に挿入することで前記壁面に配設されていた。
【０００３】
このような電気機器は、筐体から引き出された電源コードなどが壁面上に露出しないため、優れた美観を呈していた。
【０００４】
尚、本発明における従来技術となる上述した電気機器は、一般的な技術であるため、特許文献等の従来技術文献は示さない。
【発明の概要】
【発明が解決しようとする課題】
【０００５】
上述した電気機器において、筐体や端子基台は、例えばＡＢＳ樹脂などの硬度に優れた樹脂で形成されているものがあった。この場合、端子基台を筐体の開口部に組み込んだときに、硬質の筐体および端子基台が互いに弾性変形し難い場合は、筐体および端子基台の接合面に僅かな隙間部が形成される虞があった。このような隙間部が形成されれば、水や異物が電気機器の内部に侵入し、これらによって電気機器が故障する原因となる虞があった。
【０００６】
従って、本発明の目的は、端子基台を筐体に組み込んだときに筐体および端子基台の接合面に隙間部が形成され難い電気機器を提供することにある。
【課題を解決するための手段】
【０００７】
上記目的を達成するための本発明に係る電気機器は、筐体と、前記筐体の背面から立設する電源端子の一部を収容する収容溝が形成され、前記筐体に形成された開口部に組み込まれた端子基台と、を備え、前記電源端子を壁面のコンセントの差込口に挿入することで前記壁面に配設される電気機器であって、その第一特徴構成は、前記端子基台を、前記筐体より軟質の材料で形成した点にある。
【０００８】
本構成によれば、端子基台は、筐体に形成された開口部に組み込んだときに、軟質である端子基台が開口部の形状に合わせて弾性変形し易くなり、変形した端子基台が開口部に密着して筐体および端子基台の接合面に隙間部が形成され難くなる。そのため、筐体および端子基台の接合面にシール材などを介在させなくとも水や異物が電気機器の内部に侵入し難くなり、これらの侵入によって電気機器が故障するのを未然に防止できる。
【０００９】
本発明に係る電気機器の第二特徴構成は、前記端子基台には、前記端子基台を前記筐体の開口部に組み込むときに当該端子基台が弾性変形して潰れる潰れ部を備えた点にある。
【００１０】
本構成によれば、仮に端子基台に製造誤差があったとしても、潰れ部が潰れて弾性変形することで、端子基台を筐体の所定の位置に確実に配置することができる。
【図面の簡単な説明】
【００１１】
【図１】本発明の電気機器の概要を示す斜視図である。
【図２】電気機器の分解斜視図である。
【図３】基板回路を外した電気機器の上面視の概略図である。
【図４】基板回路を装着した電気機器の上面視の概略図である。
【図５】壁面に配設した電気機器の要部断面図である。
【発明を実施するための形態】
【００１２】
以下、本発明の実施形態を図面に基づいて説明する。
本発明の電気機器は、電源端子が一体に形成された電気機器である。
図１〜５に示したように、本発明の電気機器Ｘは、筐体１０と、筐体１０の背面から立設する電源端子２１の一部を収容する収容溝２２が形成され、筐体１０に形成された開口部１１に組み込まれた端子基台２０と、を備え、電源端子２１を壁面Ｙのコンセント３０の差込口３１に挿入することで壁面Ｙに配設され、端子基台２０は、筐体１０より軟質の材料で形成してある。
【００１３】
電気機器Ｘは、電源端子が一体に形成され、壁面に設置する態様であればどのような機器であってもよい。当該壁面に設置する電機機器としては、例えば防災用又は防犯用の警報器が挙げられる。本実施形態では、電気機器Ｘとして、可燃性ガス（ＬＰガス）の漏洩を検知するガス警報器を屋内の壁面に設置する態様について説明する。当該電気機器Ｘの形状は特に限定されるものではないが、本実施形態では上面視で矩形状であり、厚板状（例えば８０×６２×３５ｍｍ）の形状を呈するものを例示する。
【００１４】
筐体１０は、機器本体１０ａおよび当該機器本体１０ａを覆う封止体１０ｂより形成される。当該機器本体１０には回路基板１２が収容される。
回路基板１２には、例えばガス検知部１３、報知部１４などの電子部品が配設してある。また、回路基板１２の接続部１２ａには、電源コード２３の一端が接続している。当該電源コード２３の他端は、端子基台２０と接続する。本実施形態の回路基板１２は、回路基板１２の表裏に亘って電源コード２３を配設するため、切欠部１２ｂが形成してある。筐体１０の側面１８に沿って案内された電源コード２３は、回路基板１２の裏側から筐体１０の角部１９付近に形成された角部リブ４５に沿って曲げることで回路基板１２の表側に案内される。
【００１５】
ガス検知部１３は、被検知ガスである可燃性ガス（ＬＰガス）を検知するものであればどのような態様であってもよく、例えば公知の半導体式センサ素子や接触燃焼式センサ素子などを設けたものを使用できる。
【００１６】
報知部１４は、ガス検知部からの信号を受けて警報を発するものであればどのような態様であってもよく、例えば圧電スピーカなどの音声を発する態様、或いは、ＬＥＤなどの光を発する態様などを使用することができる。
【００１７】
封止体１０ｂには、電気機器Ｘの電源の投入を行うスイッチ部１５、報知部１４からの警報音を放音する放音部１６などが形成してある。
【００１８】
本実施形態では、端子基台２０には互いに対面する一対の電源端子２１が立設する場合について説明するが、このような態様に限定されるものではない。電源端子２１は、その一端が端子基台２０に形成された収容溝２２に例えば一体成形により係入し、その他端が露出している。電源端子２１の露出した他端が、壁面Ｙのコンセント３０の差込口３１に挿入される。
【００１９】
端子基台２０は、筐体１０に形成された開口部１１に組み込まれる。本実施形態では、当該開口部１１は、機器本体１０ａにおいて幅方向の中央に位置し、上下方向の上側に位置するように設けた場合について説明するが、このような態様に限定されるものではない。
【００２０】
また、当該端子基台２０は、筐体１０より軟質の材料で形成してある。
【００２１】
当該端子基台２０は、筐体１０より軟質の材料であれば特に限定されるものではない。例えば端子基台２０は、軟質塩化ビニル系樹脂、ＥＰＤＭ、エチレン−プロピレン等のゴム、ウレタン系、オレフィン系、スチレン系等の各種熱可塑性エラストマー等が挙げられる。また、ポリ塩化ビニル系樹脂に可塑剤を配合した軟質塩化ビニル系樹脂組成物としてもよい。
【００２２】
筐体１０は、端子基台２０より硬質の材料であれば特に限定されるものではない。例えば筐体１０は、ＡＢＳ樹脂、ポリカーボネート、ナイロン１１、ナイロン１２、アクリル樹脂、ポリアミド樹脂、ポリエチレン樹脂、ポリフェニレンサルファイド樹脂、ポリブチレンテレフタレート樹脂、メタクリル樹脂等が挙げられる。
【００２３】
このように端子基台２０は、筐体１０より軟質の材料で形成してあれば、端子基台２０は、筐体１０に形成された開口部１１に組み込んだときに、軟質である端子基台２０が開口部１１の形状に合わせて弾性変形し易く、筐体１０および端子基台２０の接合面に隙間部が形成され難くなる。そのため、筐体１０および端子基台２０の接合面にシール材などを介在させなくとも水や異物が電気機器の内部に侵入し難くなり、これらの侵入によって電気機器が故障するのを未然に防止できる。
【００２４】
また、端子基台２０は筐体１０に対してビス２６などで固定されるが、仮に過大な力でビス２６を締め付けたとしても、軟質な端子基台２０は、弾性変形してこのような過大な締め付け力を吸収して端子基台２０が破損するのを防止できる。
【００２５】
尚、本構成では、筐体１０は、端子基台２０より硬質の材料で形成しているが、これは、筐体１０を端子基台２０より硬質の材料で形成した方が、電気機器Ｘの外形を維持し易いからである。
【００２６】
端子基台２０は、開口部１１に組み込んだときに外部に露出しない内側部分２４がある。また、筐体１０には、端子基台２０を位置決めする位置決め部１７が形成されている。当該位置決め部１７は、端子基台２０の内側部分２４の略Ｌ字状の凹み部２５に当接する。従って、位置決め部１７および凹み部２５においては、端子基台２０を筐体１０の開口部１１に組み込んだときに、位置決め部１７および凹み部２５が当接し、軟質である凹み部２５（端子基台２０）が位置決め部１７の形状に合わせて弾性変形する。即ち、弾性変形して潰れる凹み部２５は潰れ部となる。このように端子基台２０が弾性変形して潰れる凹み部（潰れ部）２５を備えることで、仮に端子基台２０に製造誤差があったとしても、潰れ部２５が潰れて弾性変形することで、端子基台２０を筐体１０の所定の位置に確実に配置することができる。
【産業上の利用可能性】
【００２７】
本発明は、筐体と、前記筐体の背面から立設する電源端子の一部を収容する収容溝が形成され、前記筐体に形成された開口部に組み込まれた端子基台と、を備え、前記電源端子を壁面のコンセントの差込口に挿入することで前記壁面に配設される電気機器に利用できる。
【符号の説明】
【００２８】
Ｘ          電気機器
Ｙ          壁面
１０        筐体
１１        開口部
２０        端子基台
２１        電源端子
２２        収容溝
２５        潰れ部
３０        コンセント
３１        差込口
【図１】
2015035314.tif 000003
【図２】
2015035314.tif 000004
【図３】
2015035314.tif 000005
【図４】
2015035314.tif 000006
【図５】
2015035314.tif 000007